(57)【要約】【課題】印刷済のカードを順番通り間違いなくカード収納部内に収納する。【解決手段】カード排出システム６０はカード受入部６１と、複数のカード収納部６２ａ〜６２ｄと、カード受入部６１とカード収納部６２ａ〜６２ｄとの間に設けられたカード移送機構６０Ａとを備える。カード移送機構６０Ａは搬送ベルト６３と、搬送ベルト６３に保持具６４を介して設けられた吸着装置６５とを有する。【選択図】図１
2020104982.tif 000002
【特許請求の範囲】
【請求項１】
カード排出システムにおいて、
印刷済のカードを受けるカード受入部と、
前記カード受入部の下流側に、前記カードの種類に応じて設けられ、前記カードを水平方向に順次積層して収納する複数のカード収納部と、
前記カード受入部上の前記カードを吸着する吸着装置と、前記カード受入部と前記カード収納部との間に設けられ、前記吸着装置を水平方向に送り出す送り出し装置とを有するカード移送機構とを備えたカード排出システム。
【請求項２】
各カード収納部内に前記カードを支持する弾性体が配置されている、請求項１記載のカード排出システム。
【請求項３】
前記弾性体はスプリングからなる、請求項２記載のカード排出システム。
【請求項４】
前記弾性体のばね定数をａ、カード自重をＦ、カード厚みをｔとした場合、ａ＝Ｆ／ｔの式を満たす、請求項３記載のカード排出システム。
【請求項５】
前記吸着装置は前記送り出し装置に上下方向移動可能に支持されている、請求項１乃至４のいずれか記載のカード排出システム。
【請求項６】
印刷部と、
カード排出システムと、を備えたカードプリンタにおいて、
前記カード排出システムは、
印刷済のカードを受けるカード受入部と、
前記カード受入部の下流側に、前記カードの種類に応じて設けられ、前記カードを水平方向に順次積層して収納する複数のカード収納部と、
前記カード受入部上の前記カードを吸着する吸着装置と、前記カード受入部と前記カード収納部との間に設けられ、前記吸着装置を水平方向に送り出す送り出し装置とを有するカード移送機構とを備えたカードプリンタ。
【発明の詳細な説明】
【技術分野】
【０００１】
本開示は、カード排出システム及びカードプリンタに関する。
【背景技術】
【０００２】
従来より運転免許証、クレジットカード、キャッシュカード、社員証、身分証、その他のＩＤカードを作成するためカードプリンタが用いられている。
【０００３】
このカードプリンタはカードに対して印刷する印刷部と、印刷済のカードを排出するカード排出システムとを有し、このカード排出システムから印刷済のカードが排出される。
【０００４】
またカード排出システムは、カードを順次積層して収納する複数のカード収納部と、印刷済カードを各カード収納部内へ移載するカード搬送部とを有し、カード搬送部により搬送されたカードは各カード収納部内に落下しながら積層して収納される。
【０００５】
しかしながら、カードが各収納部内に落下する際、落下姿勢が安定せず、カードが各収納部内に起立してしまい、次のカードが先に収納部内に積層され、このようにしてカードの積層順が変わることがある。このようにカード収納部内において積層順が変わってしまうと、その後のカード作製処理に支障が生じてしまう。
【先行技術文献】
【特許文献】
【０００６】
【特許文献１】特開２０１３−１８０８９７号公報
【発明の概要】
【発明が解決しようとする課題】
【０００７】
本開示はこのような点を考慮してなされたものであり、印刷済のカードを順番通りに間違いなく、カード収納部内に収納することができるカード排出システム及びカードプリンタを提供することを目的とする。
【課題を解決するための手段】
【０００８】
本開示は、カード排出システムにおいて、印刷済のカードを受けるカード受入部と、前記カード受入部の下流側に、前記カードの種類に応じて設けられ、前記カードを水平方向に順次積層して収納する複数のカード収納部と、前記カード受入部上の前記カードを吸着する吸着装置と、前記カード受入部と前記カード収納部との間に設けられ、前記吸着装置を水平方向に送り出す送り出し装置とを有するカード移送機構とを備えたカード排出システムである。
【０００９】
本開示は、各カード収納部内に前記カードを支持する弾性体が配置されている、カード排出システムである。
【００１０】
本開示は、前記弾性体はスプリングからなる、カード排出システムである。
【００１１】
本開示は、前記弾性体のばね定数をａ、カード自重をＦ、カード厚みをｔとした場合、ａ＝Ｆ／ｔの式を満たす、カード排出システムである。
【００１２】
本開示は、前記吸着装置は前記送り出し装置に上下方向移動可能に支持されている、カード排出システムである。
【００１３】
本開示は、印刷部と、カード排出システムと、を備えたカードプリンタにおいて、前記カード排出システムは、印刷済のカードを受けるカード受入部と、前記カード受入部の下流側に、前記カードの種類に応じて設けられ、前記カードを水平方向に順次積層して収納する複数のカード収納部と、前記カード受入部上の前記カードを吸着する吸着装置と、前記カード受入部と前記カード収納部との間に設けられ、前記吸着装置を水平方向に送り出す送り出し装置とを有するカード移送機構とを備えたカードプリンタである。
【発明の効果】
【００１４】
以上のように本開示によれば、印刷済のカードを順番通りに間違いなく、カード収納部内に収納することができる。
【図面の簡単な説明】
【００１５】
【図１】図１は本実施の形態によるカード排出システムを示す概略図。
【図２Ａ】図２ＡはＩＣカードの表面を示す図。
【図２Ｂ】図２ＢはＩＣカードの裏面を示す図。
【図２Ｃ】図２ＣはＩＣカードを示す斜視図。
【図３】図３は本実施の形態によるカードプリンタの全体を示す全体構成図。
【図４】図４はカード収納部を示す斜視図。
【図５】図５はカード反転移送システムを示す概略図。
【図６】図６は昇降機構を示す図。
【図７】図７は昇降機構を示す図６と９０°異なる方向からみた図。
【図８】図８は本実施の形態の作用を示すフローチャート。
【図９】図９は比較例としてのカード排出システムを示す概略図。
【発明を実施するための形態】
【００１６】
＜本実施の形態＞
以下、図面を参照して本実施の形態について説明する。
【００１７】
図１乃至図８は本実施の形態によるカード排出システム及びカードプリンタを示す図である。
【００１８】
まず図３により、カード排出システムが組み込まれたカードプリンタ２０について述べる。カードプリンタ２０は、図２Ａ乃至図２Ｃに示すようなＩＣチップ１ａを含むＩＣカード（以下、単にカードともいう）１の表面２に対して各個人の必要な表面情報２ａおよび顔画像情報２ｂを印刷するとともに、ＩＣカード１の裏面３に対して裏面情報３ａを印刷し、ＩＣチップ１ａ内に表面情報２ａおよび裏面情報３ａを書込んで、例えば社員カード、銀行カード、運転免許証等のＩＣカードを作製するものである。この場合、各ＩＣカード１の自重Ｆは約６ｇｆ、その厚みｔは約０．８ｍｍとなっている（図２Ｃ参照）。
【００１９】
ここで必要な表面情報２ａとは、当該個人の氏名、および住所等が考えられる。また裏面情報３ａとは表面に書き込めない備考等の詳細情報が考えられ、またＩＣカード１の表面２に個人のＩＤ番号（ＩＤ情報）２ｃを印刷してもよい。本実施の形態において、カードプリンタ２０により、例えば、運転免許証が作製される。
【００２０】
またカードプリンタ２０においては、ＩＣカード１のＩＣチップ１ａ内に、表面情報２ａが書込まれる。
【００２１】
さらにカードプリンタ２０の下流側には、ＩＣカード１のＩＣチップ１ａ内に裏面情報３ａを書き込み、かつＩＣカード１の裏面に裏面情報３ａを印刷する裏面書込機能付プリンタ４０が接続されている（図３参照）。
【００２２】
さらにこの裏面書込機能付プリンタ４０には、ＩＣカード１のＩＣチップ１ａから裏面情報３ａを読み取り、裏面情報３ａのうちＩＣカード１の裏面３に印刷できない追記情報を印刷して追記情報ラベルを作製するとともに、この追記情報ラベルを発行する追記情報ラベル発行部２８が接続されている（図３参照）。
【００２３】
なお、カードプリンタ２０はＩＣカードの代わりにＩＣチップを有しないカードに対して印刷のみを施すこともできる。
【００２４】
次に図３によりカードプリンタ２０の概略を示す。
【００２５】
図３に示すようにカードプリンタ２０は、ケーシング２０Ａと、ケーシング２０Ａ内上方に設けられＩＣカード１を積層して収納する４台のカードマガジン２１と、カード移送機構（第１カード移送機構）５０Ａと、回転体５５とを有し、各カードマガジン２１からのＩＣカード１を移送して反転するカード反転移送システム５０と、カード反転移送システム５０の下流側に設けられ、ＩＣカード１の表面２に顔画像情報２ｂを印刷するＹ印刷部２２、Ｍ印刷部２３およびＣ印刷部２４とを備えている。このうちＹ印刷部２２はＩＣカード１の表面２にイエロー印刷を施すものであり、Ｍ印刷部２３はＩＣカード１の表面２にマゼンタ印刷を施すものであり、Ｃ印刷部２４はＩＣカード１の表面２にシアン印刷を施すものであり、Ｙ印刷部２２、Ｍ印刷部２３およびＣ印刷部２４により顔画像情報２ｂが印刷される。
【００２６】
またＣ印刷部２４の下流側には、Ｙ印刷部２２、Ｍ印刷部２３およびＣ印刷部２４によって印刷されたインキをＩＣカード１の表面に定着させるインキ定着部２５が設けられ、さらにインキ定着部２５の下流側にはＩＣカード１の表面２に表面情報２ａおよびＩＤ情報２ｃを印刷する表面印刷部２６が設けられている。この場合、Ｙ印刷部２２、Ｍ印刷部２３、Ｃ印刷部２４、インキ定着部２５および表面印刷部２６によって印刷部２２〜２６が構成されている。
【００２７】
表面印刷部２６を通過したＩＣカード１は、その後、第１リーダライタ２７に送られ、落下部３８からケーシング２０Ａ下方にある搬送ライン３３へ送られる。
【００２８】
このうち、第１リーダライタ２７は、ＩＣカード１のＩＣチップ１ａに表面情報２ａおよびＩＤ情報２ｃを書込むものである。
【００２９】
さらに搬送ライン３３に沿って、ＩＣカード１の表面２に印刷された表面情報２ａおよび顔画像情報２ｂを保護するためＩＣカード１の表面２上に第１保護シート（図示せず）を設ける第１保護シート形成部２９が設けられ、第１保護シート形成部２９の下流側に第１保護シート上に更に第２保護シート３１を設ける第２保護シート形成部３０が設けられている。
【００３０】
また第２保護シート形成部３０の搬送ライン３３下流側には、表面情報２ａ、顔画像情報２ｂ、ＩＤ情報２ｃが表面２に印刷され、かつＩＣチップ１ａ内に表面情報２ａおよびＩＤ情報２ｃが書込まれたＩＣカード１を受け取り、複数の収納部６２ａ，６２ｂ，６２ｃ，６２ｄへＩＣカード１を振分ける本実施の形態によるカード排出システム６０が設けられている。
【００３１】
カード排出システム６０に送られたＩＣカード１は、その後、裏面書込機能付プリンタ４０および追記情報ラベル発行部２８へ順次送られる。
【００３２】
また裏面書込機能付プリンタ４０は、ＩＣカード１のＩＣチップ１ａ内に必要な裏面情報３ａを書き込む第２リーダライタ４１と、ＩＣカード１の裏面３に必要な裏面情報３ａを印刷する裏面印刷部４２とを有している。さらに第２リーダライタ４１および裏面印刷部４２の上流側に入口スタッカ４０ａが設けられ、第２リーダライタ４１および裏面印刷部４２の下流側に出口スタッカ４０ｂが設けられている。
【００３３】
ところでカードプリンタ２０および裏面書込機能付プリンタ４０は制御装置２０ａにより駆動制御される。
【００３４】
次に本実施の形態によるカード排出システム６０について、図１、図３〜図４により説明する。図１、図３〜図４に示すように、カード排出システム６０は、第２保護シート形成部３０の下流側に設置されている。ここで、第２保護シート形成部３０は第１保護シート形成部２９と略同一構造をもつ。すなわち、第２保護シート形成部３０は、保護シート３１をＩＣカード１上へ転写するヒートローラ３０ａと、ヒートローラ３０ａとの間でＩＣカード１と保護シート３１を挟持する受けローラ３０ｂとを有する。そして保護シート３１は送り出し部３０ｃから送られて巻き取り部３０ｄに巻き取られる。この間保護シート３１はＩＣカード１上へ供給され、ヒートローラ３０ａと受けローラ３０ｂとの間で挟持されてＩＣカード１上へ加熱押圧されてＩＣカード１上に転写される。
【００３５】
またカード排出システム６０は、図１、図３〜図４に示すように、上述した第２保護シート形成部３０の下流側に設けられ、第２保護シート形成部３０から送られた印刷済のＩＣカード１を受けるカード受入部６１と、カード受入部６１の下流側に設けられ複数のＩＣカード１を積層して収納する複数、例えば４つのカード収納部６２ａ，６２ｂ，６２ｃ，６２ｄとを備えている。またカード受入部６１と４つのカード収納部６２ａ〜６２ｄとの間に、カード受入部６１上のＩＣカード１を吸着して各カード収納部６２ａ，６２ｂ，６２ｃ，６２ｄ内へ移送するカード移送機構（第２カード移送機構ともいう）６０Ａが設置されている。
【００３６】
このうち、カード受入部６１は、第２保護シート形成部３０から送られてくる印刷済のＩＣカード１を載置するようになっている。また各カード収納部６２ａ，６２ｂ，６２ｃ，６２ｄは直線Ｌに沿って並んで配置されている。ここでカード収納部６２ａ，６２ｂ，６２ｃ，６２ｄはいずれも略同一構造をもつため、ここではカード収納部６２ａについて述べる。図４に示すように、カード収納部６２ａは、底面７１と、平面視上で矩形をなす３つの側面７３，７３，７３とを有する箱体７０からなる。
【００３７】
カード収納部６２ａの箱体７０の一側面は開口し、この開口する側面に開閉扉７４が設けられている。また箱体７０は上方開口７０ａを有する。また収納部６２ａ内には複数のＩＣカード１が水平方向に順次積層して収納される。この場合、収納部６２ａ内には底面７１上に設けられたスプリング７２等の弾性体が配置され、このスプリング７２上にＩＣカード１を支持する支持板７５が設けられている。
【００３８】
図４において、弾性体を構成するスプリング７２のばね定数をａとし、ＩＣカード１の厚みをｔとし、ＩＣカード１の自重をＦとした場合、
ａ＝Ｆ／ｔに定められている。
【００３９】
このようにスプリング７２のばね定数ａを、ａ＝Ｆ／ｔと定めることにより、収納部６２ａ内の支持板７５上に何枚のＩＣカード１を水平方向に積層配置した場合であっても、収納部６２ａ内に積層配置されたＩＣカード１のうち最上層のＩＣカード１の上面位置を同一位置に定めることができる。
【００４０】
次にカード受入部６１とカード収納部６２ａ〜６２ｄとの間に設置されたカード移送機構６０Ａについて説明する。カード移送機構６０Ａは図１に示すように、カード受入部６１上のＩＣカード１を上方から吸着する吸着装置６５と、この吸着装置６５を水平方向に送り出す第２送り出し装置、例えば搬送ベルト６３とを有する。このうち搬送ベルト６３は駆動ローラ６３ａおよび駆動ローラ６３ｂ間に掛け渡され、直線Ｌ方向に沿って水平方向に往復移動可能となっている。
【００４１】
次に吸着装置６５と搬送ベルト６３との連結構造について説明する。図１に示すように、搬送ベルト６３には保持具６４が固定され、この保持具６４は搬送ベルト６３により水平方向に移動可能となっている。また、この保持具６４には吸着部６５ａを有する吸着装置６５が上下方向に移動可能に設けられている。この場合、吸着部６５ａを有する吸着装置６５は、保持具６４に対して上下方向に５〜１０ｍｍ程度移動可能となっている。
【００４２】
次に上述したカード反転移送システム５０について図５〜図７により更に述べる。カード反転移送システム５０は、上述のように、４台のカードマガジン２１ａ〜２１ｄ内に積載されたＩＣカード１をカードマガジン２１ａ〜２１ｄ内から取り出し、移送して反転させるものである。
【００４３】
この場合、４台のカードマガジン２１ａ〜２１ｄは、各々カードプリンタ２０の上方に直線Ｌ上に配置された載置部２１Ａ〜２１Ｄ上に載置され、このため載置部２１Ａ〜２１Ｄ上に載置された各カードマガジン２１ａ〜２１ｄも直線Ｌ方向に並んで配置されている。各カードマガジン２１ａ〜２１ｄ内には、複数のＩＣカード１がその裏面３が上方を向くように多層に積載されている。
【００４４】
図５〜図７に示すように、カード反転移送システム５０は、カードマガジン２１ａ〜２１ｄ内のＩＣカード１の裏面３を上方から吸着してカードマガジン２１ａ〜２１ｄの上方開口から取り出す吸着装置５８と、この吸着装置５８を水平方向に送り出す第１送り出し装置、例えば搬送ベルト５１とを有するカード移送機構５０Ａを備えている。このうち搬送ベルト５１は駆動ローラ５１ａおよび駆動ローラ５１ｂ間に掛け渡され、直線Ｌ方向に沿って水平方向に往復移動可能となっている。
【００４５】
次に吸着装置５８と搬送ベルト５１との連結構造について説明する。図６および図７に示すように、搬送ベルト５１には昇降機構５６が固定され、この昇降機構５６は搬送ベルト５１により水平方向に移動可能となっている。昇降機構５６は搬送ベルト５１により水平方向に移動可能となる昇降機構本体５６Ａと、この昇降機構本体５６Ａ内に配置され上下方向に移動可能な昇降ベルト５７とを有し、このうち昇降ベルト５７は駆動ローラ５７ａおよび駆動ローラ５７ｂ間に掛け渡され、上下方向に往復移動可能となっている。
【００４６】
また昇降ベルト５７には保持具５９が取り付けられており、この保持具５９には吸着部５８ａを有する吸着装置５８が回動自在に設けられている。図６および図７において、保持具５９が昇降ベルト５７から直線Ｌと直交する直線ｘ方向に突出して設けられ、吸着装置５８はこの保持具５９に直線ｘ回りに回動可能に設けられている。吸着装置５８は、ＩＣカード１の裏面３を吸着する吸着部５８ａを有し、保持具５９に対して回動することにより、吸着部５８ａを下方に向けたり上方に向けたりすることができる。
【００４７】
また搬送ベルト５１の搬送方向（直線Ｌ方向）下流側には、ＩＣカード１が挿入される挿入口５５ａを有する回転体５５が配置されている。
【００４８】
また回転体５５の挿入口５５ａ内には、吸着装置５８の吸着部５８ａにより吸着されたＩＣカード１を引き込む搬送ローラ（図示せず）が設けられている。そして吸着装置５８の吸着部５８ａにより吸着されたＩＣカード１を回転体５５の挿入口５５ａ内に直線Ｌ方向に引き込む。その後、回転体５５が直線Ｌと平行する回転軸回りに１８０°回転する。このことにより裏面３を上方に向けて吸着装置５８の吸着部５８ａにより吸着され、回転体５５の挿入口５５ａ内に挿入されたＩＣカード１を、回転体５５により１８０°反転させてＩＣカード１の姿勢を表面２が上方を向くよう変えることができる。
【００４９】
ところで回転体５５のＩＣカード１の搬送方向下流側に、上述のようにＹ印刷部２２が配置され、このＹ印刷部２２はＭ印刷部２３およびＣ印刷部２４と略同一構造をもつ。すなわちＹ印刷部２２は、インクリボン２２ｒを加熱する印刷ヘッド２２ａと、インクリボン２２ｒの送り出し部２２ｂと、インクリボン２２ｒの巻き取り部２２ｃとを有する。
【００５０】
次に、このような構成からなる本実施の形態の作用について図８に示すフローチャートにより説明する。
【００５１】
まずスタート時にカードプリンタ２０の載置部２１Ａ〜２１Ｄ上に複数のＩＣカード１を多層に積層したカードマガジン２１ａ〜２１ｄが装着され、カードマガジン２１ａ〜２１ｄは直線Ｌ上に並ぶよう配置される。各カードマガジン２１ａ〜２１ｄ内に積層されたＩＣカード１は印刷および書き込みがなされていない生のＩＣカード１となっており、ＩＣカード１は裏面３を上方に向けてカードマガジン２１ａ〜２１ｄ内に収納されている。
【００５２】
この場合、ＩＣカード１をカードマガジン２１ａ〜２１ｄ内にカード発行種別で、例えば優良者向け運転免許証用のＩＣカード、一般向け運転免許証用のＩＣカード、新規者向け運転免許証用のＩＣカード、あるいは経歴者向け（免許を返納した方向け）のＩＣカード別に振り分けておくことができる。その他ＩＣカード１をカードマガジン２１ａ〜２１ｄ内に発行要求先別、例えば、撮影装置１、撮影装置２、撮影装置３、撮影装置４に対応して振り分けておいてもよい。あるいはＩＣカード１をカードマガジン２１ａ〜２１ｄ内に発行後の後処理別、例えば発行終了、裏面印刷あり、エラーカードに対応して振り分けておいてもよい。あるいはＩＣカード１をカードマガジン２１ａ〜２１ｄ内に発行指令別、例えば通常発行、紛失時の再発行、あるいはテスト発行別に対応して振り分けておいてもよい。あるいはまた、ＩＣカード１をカードマガジン２１ａ〜２１ｄ内に、講習区分別、例えば優良者講習、違反者講習、初心者講習、あるいは経歴者説明会に対応して振り分けてもよい。
【００５３】
以下、ＩＣカード１をカードマガジン２１ａ〜２１ｄ内にカード発行種別に振り分けた場合について説明する。
【００５４】
すなわちカードマガジン２１ａ内には優良者向け運転免許証を作製するためのＩＣカード１が収納され、カードマガジン２１ｂ内には一般人向け運転免許証を作製するためのＩＣカード１が収納され、カードマガジン２１ｃ内には新規者向け運転免許証を作製するためのＩＣカード１が収納され、カードマガジン２１ｄには経歴者向け（免許を返納した方向け）のＩＣカード１が収納されている。
【００５５】
次に図示しない検出部により、各カードマガジン２１ａ〜２１ｄ内に上述したＩＣカードが収納されているか否か確認する。
【００５６】
次にＩＣカード１の発行要求が有るか否か判断し、ＩＣカード１の発行要求が有れば、その発行要求があるＩＣカード１が収納されたカードマガジン２１ａ〜２１ｄまで、吸着装置６０を保持する昇降機構５６が搬送ベルト５１に沿って移動する。
【００５７】
この場合カードマガジン２１ａ〜２１ｄは、その上方が開口しており、かつカードマガジン２１ａ〜２１ｄのうち昇降機構５６側の側面（図５においてカードマガジン２１ａ〜２１ｄの背面）も開口している。
【００５８】
例えば発行要求があるＩＣカード１がカードマガジン２１ｄ内に収納されている場合、昇降機構５６がカードマガジン２１ｄの背面に達し、昇降機構５６の昇降ベルト５７に取り付けられた保持具５９がカードマガジン２１ｄ内に背面から侵入する。次に保持具５９が昇降ベルト５７により降下して、保持具５９の先端に取り付けられている吸着装置５８の吸着部５８ａが最上層のＩＣカード１の裏面３を吸着する。
【００５９】
その後、保持具５９が昇降ベルト５７により上昇し、昇降機構５６が全体として搬送ベルト５１に沿って移動する。次に吸着装置５８の吸着部５８ａに吸着されたＩＣカード１が搬送ローラにより回転体５５の挿入口５５ａ内に導入され、回転体５５が１８０°回転してＩＣカード１は表面２を上方に向くようその姿勢が変化する。
【００６０】
次に回転体５５の挿入口５５ａ内のＩＣカード１は、回転体５５の挿入口５５ａ内の搬送ローラによりＹ印刷部２２側へ送られる。
【００６１】
その後、ＩＣカード１の表面２に対してＹ印刷部２２、Ｍ印刷部２３およびＣ印刷部２４によって、各々イエロー印刷、マゼンタ印刷、およびシアン印刷が施され、このようにしてＩＣカード１の表面２に顔画像情報２ｂが印刷される。
【００６２】
次にＩＣカード１はインキ定着部２５へ送られ、このインキ定着部２５においてＹ印刷部２２、Ｍ印刷部２３およびＣ印刷部２４によって印刷された顔画像情報２ｂのインキがＩＣカード１の表面に定着される。
【００６３】
その後ＩＣカード１は表面印刷部２６に送られ、この表面印刷部２６においてＩＣカード１の表面２に表面情報２ａおよびＩＤ情報２ｃが印刷される。
【００６４】
次にＩＣカード１は第１リーダライタ２７へ送られ、この第１リーダライタ２７においてＩＣカード１のＩＣチップ１ａに対して表面情報２ａ、顔画像情報２ｂおよびＩＤ情報２ｃが書込まれる。
【００６５】
このようにして表面情報２ａ、顔画像情報２ｂ、ＩＤ情報２ｃが表面２に印刷され、かつＩＣチップ１ａに表面情報２ａおよびＩＤ情報２ｃが書込まれたＩＣカード１は、その後、落下部３８から搬送ライン３３に沿って搬送されて第１保護シート形成部２９へ送られ、この第１保護シート形成部２９においてＩＣカード１の表面に第１保護シートが形成される。次にＩＣカード１は搬送ライン３３に沿って第２保護シート形成部３０へ送られ、この第２保護シート形成部３０においてＩＣカード１の第１保護シート上に第２保護シート３１が形成される。
【００６６】
このようにしてＩＣカード１の保護シート上に第２保護シート３１が形成された印刷済のＩＣカード１は第２保護シート形成部３０からカード排出システム６０側へ送られる。まず第２保護シート形成部３０により第２保護シート３１が形成された印刷済のＩＣカード１は、カード受入部６１上に移載される。次にカード排出システム６０の吸着装置６５の吸着部６５ａによりカード受入部６１上のＩＣカード１が吸着される。次に吸着装置６５が保持具６４に対してわずかに上昇し、ＩＣカード１がカード受入部６１から上方へ離れる。
【００６７】
次にＩＣカード１を吸着した吸着装置６５が保持具６４とともに、搬送ベルト６３に沿って水平方向に移動して、カード収納部６２ｄ上まで移動する。
【００６８】
ここで、カード収納部６２ｄはカード反転移送システム５０のうち発行要求があるＩＣカード１が取り出されたカードマガジン２１ｄに対応している。またカード収納部６２ａ〜６２ｃは、カードマガジン２１ａ〜２１ｃに各々対応している。
【００６９】
次にカード収納部６２ｄ上まで移動した吸着装置６５は、吸着部６５ａの吸着機能をＯＦＦとする。このことにより吸着装置６５の吸着部６５ａにより吸着されたＩＣカード１はカード収納部６２ｄ内の支持板７５上まで落下して支持板７５上に予め載置されたＩＣカード１上に水平方向に積層して載置される。
【００７０】
この場合、カード収納部６２ｄ内にはスプリング７２が配置され、支持板７５はこのスプリング７２により支持されている。またスプリング７２のばね定数ａは上述のようにａ＝Ｆ／ｔと定められている。
【００７１】
この場合、支持板７５上に積層されるＩＣカード１の枚数が増えるたびにスプリング７２が縮んで、支持板７５が落下するが、支持板７５上に積層されたＩＣカード１のうち最上層のＩＣカード１の上面位置は上述のように略一定となっている。
【００７２】
このため、吸着装置６５の吸着部６５ａにより吸着され、その後落下するＩＣカード１の落下距離を略一定とすることができる。またスプリング７２の構造を適宜選択することにより、吸着装置６５の吸着部６５ａからカード収納部６２ｄの支持板７５上に落下する落下距離をできるだけ抑えて、吸着装置６５の吸着部６５ａから一定の落下距離をもって支持板７５上までＩＣカード１を落下させることができる。
【００７３】
このため、ＩＣカード１を一定の落下姿勢をもって安定してカード収納部６２ｄ内に落下させて収納することができる。このことによりカード収納部６２ｄ内でＩＣカード１が起立することにより起因して、次のＩＣカードが積層されたりして、積層順が変わることはなく、カード収納部６２ｄ内に順番通りにＩＣカード１を積層して収納することができる。
【００７４】
次にカード収納部６２ｄ内のＩＣカード１は、その後、裏面書込機能付プリンタ４０へ送られる。そしてＩＣカード１はこの裏面書込機能付プリンタ４０内において、第２リーダライタ４１によりＩＣチップ１ａ内に裏面情報３ａが書込まれ、続いて裏面印刷部４２によりＩＣカード１の裏面３に裏面情報３ａが印刷される。
【００７５】
このようにしてカードプリンタ２０および裏面書込機能付プリンタ４０によって、ＩＣカード１に対する印刷および書込作業が終了し、印刷および書込済のＩＣカード１が得られる。
【００７６】
なお、カードプリンタ２０および裏面書込機能付プリンタ４０における各構成部分は、上述のように制御装置２０ａにより駆動制御される。
【００７７】
なお印刷すべき裏面情報がないと判断されたＩＣカード１は、裏面書込機能付プリンタ４０を経ることなく外方へ排出される。
【００７８】
次に裏面書込機能付プリンタ４０を経たＩＣカード１は、追記情報ラベル発行部２８に送られる。この追記情報ラベル発行部２８では、ＩＣカード１のＩＣチップ１ａから裏面情報３ａを読み取り、裏面情報３ａのうちＩＣカード１の裏面に印刷できない追記情報を印刷して追記情報ラベルを作製し発行する。このようにして得られた追記情報ラベルは、その後ＩＣカード１の裏面３の所望位置に貼付される。
【００７９】
このようにして表面情報２ａ、顔画像情報２ｂおよびＩＤ情報２ｃが表面２に印刷され、裏面情報３ａが裏面３に印刷され、表面情報２ａ、裏面情報３ａおよびＩＤ情報２ｃがＩＣチップ１ａに書込まれ、追記情報ラベルが裏面３に貼付されたＩＣカード１を精度良くかつ効率良く作製することができる。
【００８０】
次に図９により、本実施の形態の比較例について述べる。
【００８１】
図９に示す比較例のように、第２保護シート形成部３０において第２保護シート３１が形成されたＩＣカード１は搬送装置８５を介して、カード収納部８０ａ〜８０ｃ側へ送られる。この場合、カード収納部８０ａ〜８０ｃは、各々の入口側にスイングバー８１ａ〜８１ｃを有し、いずれのカード収納部８０ａ〜８０ｃ、例えばカード収納部８０ｃのスイングバー８１が下方へ傾斜し、上流側のカード収納部８０ａ，８０ｂのスイングバー８１は水平位置を保つ。この場合、ＩＣカード１はカード収納部８０ｃまで達した後、スイングバー８１ｃを介してカード収納部８０ｃ内に落下する。図９において、カード収納部８０ｃ内に収納されたＩＣカード１の数か少ないと、スイングバー８１から落下するＩＣカード１の落下距離が長くなり、落下中にＩＣカード１の落下姿勢が変化して起立してカード収納部８０ｃ内に落下することが考えられる。この場合は次のＩＣカード１が先にカード収納部８０ｃ内に収納されてしまい、ＩＣカードの積層順が変わってしまう。
【００８２】
これに対して本実施の形態によれば、吸着装置６５の吸着部６５ａからカード収納部６２ａ〜６２ｄの支持板７５までのＩＣカード１の落下距離を可能な限り小さく、かつ一定の値とすることができる。このため吸着装置６５の吸着部６５ａからＩＣカード１を一定の落下姿勢をもって、安定してカード収納部６２ａ〜６２ｄ内に落下させて収納することができ、カード収納部６２ａ〜６２ｄ内に順番通りに安定してＩＣカード１を収納することができる。
【００８３】
またカード反転移送システム５０の搬送ベルト（第１送り出し装置）５１の構造と、カード排出システム６０の搬送ベルト（第２送り出し装置）６３の構造を同一の構成とすることにより、カードプリンタ全体としての設置コストを低減することができる。
【符号の説明】
【００８４】
１  ＩＣカード
２  表面
３  裏面
２０  カードプリンタ
２１Ａ〜２１Ｄ  載置部
２１ａ〜２１ｄ  カードマガジン
２２  Ｙ印刷部
２３  Ｍ印刷部
２４  Ｃ印刷部
２５  インキ定着部
２６  表面印刷部
５０  カード反転移送システム
５０Ａ  第１カード移送機構
５１  搬送ベルト
５１ａ，５１ｂ  駆動ローラ
５５  回転体
５５ａ  挿入口
５６  昇降機構
５８  吸着装置
５８ａ  吸着部
５９  保持具
６０  カード排出システム
６０Ａ  第２カード移送機構
６１  カード受入部
６２ａ〜６２ｄ  カード収納部
６３  搬送ベルト
６４  保持具
６５  吸着装置
６５ａ  吸着部
７０  箱体
７０ａ  上方開口
７１  底面
７２  スプリング
７３  側面
７４  開閉扉
７５  支持板
【図１】
2020104982.tif 000003
【図２Ａ】
2020104982.tif 000004
【図２Ｂ】
2020104982.tif 000005
【図２Ｃ】
2020104982.tif 000006
【図３】
2020104982.tif 000007
【図４】
2020104982.tif 000008
【図５】
2020104982.tif 000009
【図６】
2020104982.tif 000010
【図７】
2020104982.tif 000011
【図８】
2020104982.tif 000012
【図９】
2020104982.tif 000013